(57)【特許請求の範囲】
【請求項１】
透液性表面シートと不透液性裏面シートとの間に吸収体が介在されるとともに、表面がわ両側部にそれぞれ、長手方向のほぼ全長に亘ってサイド不織布が設けられ、このサイド不織布の一部が側方に延在されるとともに、前記不透液性裏面シートの一部が側方に延在され、これら側方に延在されたサイド不織布部分と不透液性裏面シート部分とを接合してウイング状フラップが形成された吸収性物品において、
前記ウイング状フラップの透液性表面シートがわの面に粘着剤層が形成され、前記サイド不織布として伸縮性を有する不織布が使用されているとともに、前記不透液性裏面シートとして伸縮性プラスチックフィルムが使用されることにより、前記ウイング状フラップに伸縮性が与えられ、使用に当たり、前記ウイング状フラップを下着より出して股間大腿部付け根部分の肌に接着するように装着することを特徴とする吸収性物品。
【請求項２】
前記サイド不織布は親水性不織布である請求項１記載の吸収性物品。
【請求項３】
前記ウイング状フラップ部分において、サイド不織布に対して波状加工が施されている請求項１、２いずれかに記載の吸収性物品。
【請求項４】
前記ウイング状フラップ部分において、サイド不織布と不透液性裏面シートとの間に吸収体が介在されている請求項１〜３いずれかに記載の吸収性物品。
【請求項５】
透液性表面シートと不透液性裏面シートとの間に吸収体が介在されるとともに、両側部にそれぞれ側方に突出するウイング状フラップが形成された吸収性物品において、
前記不透液性裏面シートは吸収性物品の両側部において吸収体の側縁を若干越えた位置をシート端とし、吸収性物品の表面がわ両側部にそれぞれ、長手方向のほぼ全長に亘って伸縮性を有するサイド不織布が設けられているとともに、このサイド不織布の一部を側方に突出して延在させることにより前記ウイング状フラップが形成されるとともに、このウイング状フラップの透液性表面シート側の面に粘着剤層が形成され、使用に当たり、前記ウイング状フラップを下着より出して股間大腿部付け根部分の肌に接着するように装着することを特徴とする吸収性物品。
【請求項６】
前記吸収体の側縁よりも外方位置において、前記不透液性裏面シートとサイド不織布とを長手方向に沿う線状のヒートシールによって固着するようにしてある請求項５記載の吸収性物品。
【発明の詳細な説明】
【０００１】
【発明の属する技術分野】
本発明は、経血やおりものなどを吸収するための生理用ナプキン、パンティライナー、失禁パッド等の吸収性物品に関する。
【０００２】
【従来の技術】
従来より、生理用ナプキン、パンティライナー、おりものシート、失禁パッドなどの吸収性物品としては、例えば図１１および図１２に示されるように、ポリエチレンシートまたはポリエチレンラミネート不織布などからなる不透液性裏面シート５０と、不織布または透孔性プラスチックシートなどからなる透液性表面シート５１との間に綿状パルプなどからなる吸収体５２を介在させたものが知られている。
【０００３】
この種の吸収性物品Ｎは、ズレ止めを図るために、例えば非使用面側（外面）に１または複数条の粘着剤層５３，５３を形成し、かつナプキン本体の長手方向両側部に、外方に延在するウイング状フラップＷ、Ｗを一体的に形成するとともに、このウイング状フラップＷ、Ｗの不透液性裏面シートがわの面に粘着剤層５４，５４を設けるようにしたものが存在する。なお、製品状態では、これらの各粘着剤層５３…、５４…にはそれぞれ剥離紙が仮着されている。
【０００４】
前記吸収性物品Ｎを下着３０に固定する際には、図１３に示されるように、先ず非使用面側に仮着されている前記剥離紙を剥がした後、吸収性物品Ｎを局所にあてがい、側方に突出する前記ウイング状フラップＷ、Ｗを下着より出し、両ウイング状フラップＷ、Ｗを折返し線ＲＬ、ＲＬで折返し、下着のクロッチ部分を巻き込むようにしながら下着の股間部外面に接着するようにする。
【０００５】
一方、近年は前記吸収体外面に形成した粘着剤層５３，５３および前記ウイング状フラップＷ、Ｗの構成を採ることなく、吸収性物品のズレ止めを図る提案が成されている。たとえば、特表2000-505697号公報、特表2000-505698号公報等では、吸収性物品の透液性表面シート面の一部に粘着剤層を形成し、吸収性物品を直接肌に接着するようにしたものが提案されている。
【０００６】
【発明が解決しようとする課題】
出願人が近年行った調査によれば、前記ウイング状フラップＷ、Ｗを備えた吸収性物品の使用者の中には、本来の目的であるズレ防止機能よりも、下着のクロッチ部サイドをカバーし下着を汚さない目的で使用している女性が多くいることが判明した。
【０００７】
しかしながら、前者のウイング状フラップＷ、Ｗが下着のクロッチ部を巻き込んでいる場合には、下着の汚れは防止できるけれども、経血がナプキンのサイドを越えて横漏れし、経血がウイング状フラップＷ、Ｗの表面を伝わると、前記ウイング状フラップＷの表面が折返し部分で衣類と接触しているため、逆に衣服を汚す結果になる場合があることが判った。
【０００８】
一方、後者の吸収性物品表面の一部分に粘着剤層を設ける場合には、粘着剤層が透液性表面シートを覆うため、限られた股間幅内で経血等の吸収に寄与し得る有効面積が実質的に減少することになるため、結果として横漏れを助長する可能性があるなどの問題がある。
【０００９】
そこで本発明の主たる課題は、両側部にウイング状フラップを備えた吸収性物品において、吸収性物品のズレ止めを図るとともに、たとえ経血等の横漏れが生じたとしても、下着および衣類を汚すことがない吸収性物品を提供することにある。
【００１０】
【課題を解決するための手段】
前記課題を解決するための請求項１に係る本発明として、透液性表面シートと不透液性裏面シートとの間に吸収体が介在されるとともに、表面がわ両側部にそれぞれ、長手方向のほぼ全長に亘ってサイド不織布が設けられ、このサイド不織布の一部が側方に延在されるとともに、前記不透液性裏面シートの一部が側方に延在され、これら側方に延在されたサイド不織布部分と不透液性裏面シート部分とを接合してウイング状フラップが形成された吸収性物品において、
前記ウイング状フラップの透液性表面シートがわの面に粘着剤層が形成され、前記サイド不織布として伸縮性を有する不織布が使用されているとともに、前記不透液性裏面シートとして伸縮性プラスチックフィルムが使用されることにより、前記ウイング状フラップに伸縮性が与えられ、使用に当たり、前記ウイング状フラップを下着より出して股間大腿部付け根部分の肌に接着するように装着することを特徴とする吸収性物品が提供される。
【００１１】
請求項２に係る本発明として、前記サイド不織布は親水性不織布である請求項１記載の吸収性物品が提供される。
【００１２】
請求項３に係る本発明として、前記ウイング状フラップ部分において、サイド不織布に対して波状加工が施されている請求項１、２いずれかに記載の吸収性物品が提供される。
【００１３】
請求項４に係る本発明として、前記ウイング状フラップ部分において、サイド不織布と不透液性裏面シートとの間に吸収体が介在されている請求項１〜３いずれかに記載の吸収性物品が提供される。
【００１４】
請求項５に係る本発明として、透液性表面シートと不透液性裏面シートとの間に吸収体が介在されるとともに、両側部にそれぞれ側方に突出するウイング状フラップが形成された吸収性物品において、
前記不透液性裏面シートは吸収性物品の両側部において吸収体の側縁を若干越えた位置をシート端とし、吸収性物品の表面がわ両側部にそれぞれ、長手方向のほぼ全長に亘って伸縮性を有するサイド不織布が設けられているとともに、このサイド不織布の一部を側方に突出して延在させることにより前記ウイング状フラップが形成されるとともに、このウイング状フラップの透液性表面シート側の面に粘着剤層が形成され、使用に当たり、前記ウイング状フラップを下着より出して股間大腿部付け根部分の肌に接着するように装着することを特徴とする吸収性物品が提供される。
【００１５】
請求項６に係る本発明として、前記吸収体の側縁よりも外方位置において、前記不透液性裏面シートとサイド不織布とを長手方向に沿う線状のヒートシールによって固着するようにしてある請求項５記載の吸収性物品が提供される。
【００１６】
本発明における吸収性物品においては、いずれも吸収性物品の両側部に形成されるウイング状フラップの透液性表面シートがわの面に粘着剤層が形成されている。そして、本吸収性物品を身体に装着する際には、前記ウイング状フラップＷ、Ｗを下着の外に出して、股間大腿部の付け根部分の肌に直接接着するようにする。したがって、吸収性物品のズレ止めが図れるとともに、たとえ経血等の横漏れが生じたとしても、経血等は前記ウイング状フラップと肌との間を伝わり、下着および衣類とは接触することがないため、下着および衣類を汚すことがないものとなる。また、従来例のように、粘着剤層が経血等の吸収に寄与し得る吸収体面を覆う構成を採らないため、吸収有効面積が減少することもない。また、前記ウイング状フラップに伸縮性を与えるようにしているため、身体の動きに追従させることができるとともに、ウイング状フラップを直接肌に接着することによる違和感を解消することができる。
【００１７】
【発明の実施の形態】
以下、本発明の実施の形態について図面を参照しながら詳述する。
【００１８】
〔第１形態例〕
図１は本発明の第１形態例に係る生理用ナプキン１Ａの一部破断展開図、図２はその裏面図、図３の図１のIII−III線矢視図、図４は図１のIV−IV線矢視図である。
【００１９】
前記生理用ナプキン１Ａは、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布６，６とから構成され、前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布６とがホットメルトなどの接着剤やヒートシール等の接着手段によって接合されている。
【００２０】
以下、さらに前記生理用ナプキン１Ａの構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートである。
【００２１】
次いで、前記透液性表面シート３としては、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。図示の例では、前記透液性表面シート３は、表面側の多孔性プラスチックシート３Ａと、裏面側に親水性不織布３Ｂとによる２層構成となっている。
【００２２】
前記透液性表面シート３として、上記２層構成のシートを用いた場合には、経血やおりもの等（以下、まとめて体液という。）が速やかに吸収されるようになるとともに、肌と接触する表面はドライタッチ性に優れたものとなる。なお、この場合には本例のように、吸収体４を囲繞するクレープ紙５を設け、結果的に透液性表面シート３と吸収体４との間にクレープ紙５が介在するようにすれば、吸収性に優れる前記クレープ紙５によって体液を速やかに拡散させるとともに、これら経血等の逆戻りを防止するようになる。
【００２３】
一方、前記透液性表面シート３の上面には、排血対応部位を跨ぐ両側部にそれぞれ、略長手方向に沿うサイドエンボス７，７が形成されているとともに、前後部にそれぞれ弧状エンボス８，８が形成されている。
【００２４】
前記不透液性裏面シート２と透液性表面シート３との間に介在される吸収体４は、たとえばフラッフ状パルプと吸水ポリマーとにより構成されている。前記吸水性ポリマーは吸収体を構成するパルプ中に例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２５】
本生理用ナプキン１Ａの表面がわ両側部にはそれぞれ、長手方向に沿って、かつ吸収性物品のほぼ全長に亘ってサイド不織布６，６が設けられているとともに、このサイド不織布６，６の一部が側方に延在されるとともに、前記不透液性裏面シート２の一部が側方に延在され、これら側方に延在されたサイド不織布部分と不透液性裏面シート部分とをホットメルト接着剤等により接合してウイング状フラップＷ、Ｗが形成され、このウイング状フラップＷ、Ｗの透液性表面シート３側の面に粘着層１０，１０が形成されている。
【００２６】
前記粘着剤層１０を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００２７】
前記サイド不織布６としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用い、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにする。本発明の趣旨からすれば、前記サイド不織布６として親水処理不織布を用いるのが望ましい。
【００２８】
かかるサイド不織布６としては、天然繊維、合成繊維または再生繊維などを素材として、適宜の加工法によって形成されたものを使用することができるが、好ましくは目付け量を抑えて通気性を持たせた不織布を用いるのがよい。
【００２９】
前記サイド不織布６の内方側は、図３に示されるように、吸収体４の側縁よりも内側に所定幅Ｓ1だけ重なりをもって配設され、その内方がわ側縁の数mm幅分Ｓ2は透液性表面シート３に接着せずに、内側斜め上方に向かってある程度の起立を示すようになっている。その結果、粘性が高く透液性表面シート３の表面を流れる場合があっても、前記ある程度起立を示す内方がわ側縁部（前記Ｓ2部分）が経血等を阻止する障堰となって横漏れを防止するようになるとともに、サイド不織布６により前記吸収体４に吸収された経血やおりもの等を吸収体４の側部よりも外部に透過させず、かつ滲み出しを防止するようになっている。
【００３０】
他方、前記不透液性裏面シート２の非使用面側（外面）には、図２に示されるように、ショーツに対する固定のために適宜の塗布パターンによって複数条の粘着層１１，１１が形成され、未使用製品状態では粘着層を覆う剥離紙（図示せず）が設けられる。
【００３１】
前記生理用ナプキン１Ａを下着に装着するには、前記剥離紙を剥がした上で、図５に示されるように、生理用ナプキン１Ａを局所にあてがい、側方に突出する前記ウイング状フラップＷ、Ｗを下着より出し、前記ウイング状フラップＷ、Ｗを股間大腿部付け根部分の肌に接着するようにする。これにより、生理用ナプキン１Ａは非使用面側に形成された粘着層１１，１１および肌に直接接着されたウイング状フラップＷ、Ｗにより確実にズレ止めが図られるようになるとともに、仮に前記生理用ナプキン１Ａに排出された経血等の量が多く横漏れが生じ、ウイング状フラップＷ、Ｗに至ることがあったとしても、経血等はウイング状フラップＷ、Ｗと肌との間を伝わり、下着および衣類と接触することがないため、下着および衣類を汚す心配がない。
【００３２】
ところで、本発明では前記ウイング状フラップＷ、Ｗを直接、肌に接着するため汗等によるムレや接着による不快感が懸念される。そこで、図６に示されるように、ウイング状フラップＷ、Ｗ部におけるサイド不織布６に対して波状加工を施し、多数形成される波状空間によってムレの低減を図るとともに、接着面積の減少および波部（起立部）によって若干の変位を許容することにより接着による肌への不快感を解消することができる。
【００３３】
また、経血等がウイング状フラップＷ、Ｗと肌との間に流れた際に、この経血等を確実に吸収保持することが望ましい。そこで、図７に示されるように、ウイング状フラップＷ、Ｗ部分において、不透液性裏面シート２とサイド不織布６との間に、例えばエアレイド等の薄い吸収体１２を介在させるようにしてもよい。この場合、前記吸収体の厚みは好ましくは１mm以下とするのが望ましい。また、前記吸収体１２としてはクレープ紙などを用いるようにしてもよい。
【００３４】
さらには、前記サイド不織布として、伸縮性を有するサイド不織布、具体的にはポリウレタンなどの可逆的に塑性変形し易い弾性樹脂材料からなる長繊維で構成した不織布、または引き延ばされた際に繊維自体の繊維直径は変化しないものの、ジグザグ状またはスパイラル状の捲縮が形成され、この捲縮が引き延ばされることによって伸縮性を示すようにした不織布等を使用するとともに、前記不透液性裏面シート２として伸縮性プラスチックフィルムを使用することにより、前記ウイング状フラップＷ、Ｗに伸縮性を与え、身体の動きに追従させるようにするとともに、前記ウイング状フラップＷ、Ｗを直接肌に接着することによる違和感を解消するようにしてもよい。
【００３５】
〔第２形態例〕
図８は本発明の第２形態例に係る生理用ナプキン１Ｂの一部破断展開図を示したものである。
【００３６】
基本的構造は上記第１形態例と同様であるが、本第２形態例における生理用ナプキン１Ｂでは、前記サイド不織布６として、伸縮性を有するサイド不織布が使用され、一方前記不透液性裏面シート２は吸収性物品の両側部において吸収体４の側縁を若干越えた位置をシート端２ａ、２ａとしており、前記サイド不織布６の一部を前記不透液性裏面シート２のシート端２ａを越えて側方に延在することにより前記ウイング状フラップＷ、Ｗが形成され、このウイング状フラップＷ、Ｗの透液性表面シート３側の面に粘着層１０，１０が形成されている。なお、前記ウイング状フラップＷの不織布部分には波状加工を施すようにしてもよい。
【００３７】
前記伸縮性不織布によってウイング状フラップＷ、Ｗを構成することにより、身体の動きに容易に追従できるようになり、前記ウイング状フラップＷ、Ｗを直接肌に接着することによる違和感が大幅に解消されるようになるとともに、高い通気性が確保されるようになる。
【００３８】
なお、本生理用ナプキン１Ｂでは、前記ウイング状フラップＷを引っ張ってショーツの外に出す際、引張力が前記ウイング状フラップＷからサイド不織布６に伝達され、サイド不織布６と不透液性裏面シート２との剥離が生じる虞がある。これを防止するために、前記吸収体側縁よりも外方位置において、不透液性裏面シート２とサイド不織布６とを長手方向に沿う線状のヒートシール９によって固着するようにしてある。この線状ヒートシール９は、概ねナプキン製品長さの１／５以上の長さ範囲に亘って形成するのが望ましい。その他の構造については前記第１形態例と同様であるため、同符号を付して説明は省略する。
【００３９】
以上、両側部にそれぞれ１づつウイング状フラップＷ、Ｗを備えた生理用ナプキンの例について詳述したが、本発明は、図１０に示されるように、後側寄り位置に臀部側フラップＷB、ＷBを有する夜用生理用ナプキン１Ｃに対しても全く同様に適用することが可能である。すなわち、ウイング状フラップＷ、Ｗの透液性表面シート３がわの面に粘着剤層１０，１０を形成するとともに、前記臀部側フラップＷBの透液性表面シート３がわの面に粘着剤層１３，１３を形成し、前記ウイング状フラップＷ、Ｗを股間大腿部の付け根部分の肌に接着するとともに、前記臀部側フラップＷBを臀部の肌に接着して装着するようにする。
【００４０】
【発明の効果】
以上詳説のとおり本発明によれば、両側部にウイング状フラップを備えた吸収性物品において、吸収性物品のズレ止めが図れるようになるとともに、たとえ経血等の横漏れが生じたとしても、下着および衣類を汚すことがないなどの利点がもたらされるようになる。
【図面の簡単な説明】
【図１】  本発明の第１形態例に係る生理用ナプキン１Ａの一部破断展開図である。
【図２】  その裏面図である。
【図３】  図１のIII−III線矢視図である。
【図４】  図１のIV−IV線矢視図である。
【図５】  本生理用ナプキン１Ａの装着状態図を示す模式図である。
【図６】  ウイング状フラップＷの他の形成態様図を示す要部拡大断面図である。
【図７】  ウイング状フラップＷの他の形成態様図を示す要部拡大断面図である。
【図８】  本発明の第２形態例に係る生理用ナプキン１Ｂの一部破断展開図である。
【図９】  図８のIX−IX線矢視図である。
【図１０】  本発明に係る生理用ナプキンの他例を示す展開図である。
【図１１】  従来の生理用ナプキンＮの展開図である。
【図１２】  その横断面図である。
【図１３】  従来の生理用ナプキンＮの装着要領を示す斜視図である。
【符号の説明】
１Ａ〜１Ｃ…生理用ナプキン、２…不透液性裏面シート、３…透液性表面シート、３Ａ…多孔性プラスチックシート、３Ｂ…親水性不織布、４…吸収体、５…クレープ紙、６…サイド不織布、１０・１１・１３…粘着剤層、Ｗ…ウイング状フラップ、ＷＢ…臀部側フラップ
【図１】
0004388241.tif 000002
【図２】
0004388241.tif 000003
【図３】
0004388241.tif 000004
【図４】
0004388241.tif 000005
【図５】
0004388241.tif 000006
【図６】
0004388241.tif 000007
【図７】
0004388241.tif 000008
【図８】
0004388241.tif 000009
【図９】
0004388241.tif 000010
【図１０】
0004388241.tif 000011
【図１１】
0004388241.tif 000012
【図１２】
0004388241.tif 000013
【図１３】
0004388241.tif 000014